(57)【特許請求の範囲】
【請求項１】
支柱が屋根の軒先より高くなるように立設して組み立てられる仮設足場の隣り合う支柱間に、Ｘ状に交差する一対の筋交いと両筋交いの上端部間に枢支連結された水平杆とからなる安全手摺りを、屋根軒先高さ位置とそれより上方の所要高さ位置との間で架け渡し、この架け渡された安全手摺りの両筋交いによって形成される上下の三角形状空間部のうちの下側の三角形状空間部の下辺側沿いに配置され、両端部に差込金具を設けた下横枠と、両筋交いの交差部より下方位置に配置される上横枠と、上下両横枠をつなぐ複数の縦枠とからなる落下防止養生枠を隣り合う支柱間に配置して、この落下防止養生枠の下横枠の両端差込金具を、両支柱に対する前記筋交いの下端部取付位置に設けた金具差込部に夫々差し込んで取り付けるようにした仮設足場における屋根からの落下防止設備。
【請求項２】
前記落下防止養生枠の下横枠の両端部に設けられる差込金具の一方の差込金具は、一方の支柱の金具差込部に対し上方より係脱自在なフックからなり、他方の差込金具は、他方の支柱の金具差込部に対し上方より挿脱自在なコ字枠片と、このコ字枠片の開口端部に取り付けられた抜け止め用のグラビティーロック片とからなる請求項１に記載の仮設足場における屋根からの落下防止設備。
【請求項３】
前記落下防止養生枠の下横枠の両端部に設けられる差込金具は何れも、支柱の金具差込部に対し上方より挿脱自在なコ字枠片と、このコ字枠片の開口端部に取り付けられた抜け止め用のグラビティーロック片とからなる請求項１に記載の仮設足場における屋根からの落下防止設備。
【請求項４】
前記金具差込部は、安全手摺りの筋交いの夫々下端部に設けられる固定金具における取付部片と、支柱のフランジ部材に跨嵌されるコ字形部材との内隅部に橋架連結した補強部片の内側に形成される三角形状の空間部からなる請求項１〜３の何れかに記載の仮設足場における屋根からの落下防止設備。
【請求項５】
前記金具差込部は、支柱に設けられたフランジ部材の楔孔からなる請求項１〜４の何れかに記載の仮設足場における屋根からの落下防止設備。
【請求項６】
前記金具差込部は、支柱に設けられたポケット部材のポケットからなる請求項１〜４の何れかに記載の仮設足場における屋根からの落下防止設備。
【発明の詳細な説明】
【技術分野】
【０００１】
本発明は、建物の屋根上での作業時に作業者が過って屋根から滑落するような落下事故を防止するために楔緊結式仮設足場に設けられる落下防止設備に関する。
【背景技術】
【０００２】
木造戸建て住宅では、足場を設置する敷地が狭く、建物の形状が複雑であるため、盛り替え、組み替えが簡単にでき、建物の形状に容易に対応できる足場として、楔緊結式足場が使用される。この足場は、一定の間隔にフランジ部材又はポケット部材を設けた支柱を立設すると共に、この支柱に緊結部付きのブラケットを支柱のフランジ部材又はポケット部材に楔で緊結し、対向するブラケット間に足場板を架け渡して仮設されるものである。傾斜屋根を持つ戸建て住宅における新築やリフォームの際の作業者の落下防止対策として、外部作業足場である楔緊結式足場では、支柱を屋根の軒先よりも高く突き出し、その支柱に手摺り及び中桟を設置すること、手摺りの高さは軒先高さから７５ｃｍ以上とすること、また軒先と支柱との間隔は３０ｃｍとすることが仮設工業会のくさび緊結式住宅工事用足場の組立て及び使用基準に示されている。また、中桟設置の他の対策として、桟材がＸ状に交差する交差筋交いを有する安全手摺り（先行手摺り）の設置も、落下防止対策の有効な手法として使用されている。
【０００３】
図１６は戸建て住宅の新築やリフォームの際の落下防止設備を有する従来の楔緊結式仮設足場の施工を示している。即ち、この施工にあたって、先ず、(a-1) 及び(a-2) に示すように、図１６の(c-2) で示すような建物Ｗを立てる前に、支柱１を複数本継ぎ足して上部が建物Ｗの屋根の軒先Ｎの高さより７５ｃｍ〜１００ｃｍ程度高く突出するように立設してなる楔緊結式足場用の支柱１を所定間隔おきに並立し、各支柱１には、支柱１にその長さ方向所定間隔おきに取り付けてある楔孔付きフランジ部材を利用して、足場板受けブラケット２を、複数段に取り付け、対向するブラケット２，２間に足場板３を架け渡し、しかして上段側の足場板３に作業者Ｍが乗って、手摺り用水平材４１を、またその下方に中桟４２を夫々隣り合う支柱１，１間に取り付けることにより、仮設足場を組み立てる。尚、図１６には、最上段の足場板受けブラケット２及びこれに架け渡される足場板３のみを示す。この場合、最上段の足場板３から軒先ラインＮＬまでの高さＱは１８００〜１９００ｃｍとされる。
【０００４】
上記のようにして足場を組み立てた後、(b-1) 及び(b-2) に示すように、夫々隣り合う支柱１，１間には、屋根の軒先ラインＮＬに沿った位置に水平材４３を、この軒先ラインＮＬより例えば７５ｃｍ上方位置に手摺り用水平材４４を、またこれら両位置の中間に中桟４５を、夫々作業者Ｍが支柱１に上って架け渡すことにより、(c-1) 及び(c-2) に示すような落下防止設備を設けている。
【発明の概要】
【発明が解決しようとする課題】
【０００５】
しかしながら、楔緊結式足場の支柱１に設けられた楔取付用の楔孔付きフランジ部材又はポケット部材のピッチは４５ｃｍ〜４７．５ｃｍと比較的広く、楔緊結部の位置で取付間隔が決定される中桟４５では、作業者Ｍの落下防止柵としてはやや間隔が広いとされ、また図１６には示していないが、桟材がＸ状に交差する交差筋交いを有する安全手摺りにおいても、筋交いが交差する交差部の下方及び両側方に夫々大きな三角形状の空間が形成され、相対的に開口空間が狭められるとは言え、心理的にも十分とは言えなかった。
【０００６】
本発明は、上記の実情に鑑み、屋根からの作業者の滑落を効果的に防止し得る落下防止設備を提供することを目的とする。
【課題を解決するための手段】
【０００７】
上記課題を解決するための手段を、後述する実施形態の参照符号を付して説明すると、請求項１に係る発明の仮設足場における屋根からの落下防止設備は、支柱１が屋根Ｒの軒先Ｎより高くなるように立設して組み立てられる仮設足場の隣り合う支柱１，１間に、Ｘ状に交差する一対の筋交い７，８と両筋交い７，８の上端部間に枢支連結された水平杆９とからなる安全手摺り１０を、屋根軒先高さ位置ＮＬとそれより上方の所要高さ位置との間で架け渡し、この架け渡された安全手摺り１０の両筋交い７，８によって形成される上下の三角形状空間部ａ，ｂのうちの下側の三角形状空間部ｂの下辺側沿いに配置され、両端部に差込金具１４，１５を設けた下横枠１１と、両筋交い７，８の交差部ｋより下方位置に配置される上横枠１２と、上下両横枠１１，１２をつなぐ複数の縦枠１３とからなる落下防止養生枠１６を隣り合う支柱１，１間に配置して、この落下防止養生枠１６の下横枠１１の両端差込金具１４，１５を、両支柱１，１に対する前記筋交い７，８の下端部取付位置に設けた金具差込部Ｓに夫々差し込んで取り付けるようにしたことを特徴としている。
【０００８】
請求項２は、請求項１に記載の仮設足場における屋根からの落下防止設備において、前記落下防止養生枠１６の下横枠１１の両端部に設けられる差込金具１４，１５の一方の差込金具１４は、一方の支柱１の金具差込部Ｓに対し上方より係脱自在なフック１７からなり、他方の差込金具１５は、他方の支柱１の金具差込部Ｓに対し上方より挿脱自在なコ字枠片１８と、このコ字枠片１８の開口端部に取り付けられた抜け止め用のグラビティーロック片１９とからなることを特徴とする。
【０００９】
請求項３は、請求項１に記載の仮設足場における屋根からの落下防止設備において、前記落下防止養生枠１６の下横枠１１の両端部に設けられる差込金具１４，１５は何れも、支柱１の金具差込部Ｓに対し上方より挿脱自在なコ字枠片１８と、このコ字枠片１８の開口端部に取り付けられた抜け止め用のグラビティーロック片１９とからなることを特徴とする。
【００１０】
請求項４は、請求項１〜３の何れかに記載の仮設足場における屋根からの落下防止設備において、前記金具差込部Ｓは、安全手摺り１０の筋交い７，８の夫々下端部に設けられる固定金具２４における取付部片２７と、支柱１のフランジ部材４に跨嵌されるコ字形部材２５との内隅部に橋架連結した補強部片２８の内側に形成される三角形状の空間部からなることを特徴とする。
【００１１】
請求項５は、請求項１〜４の何れかに記載の仮設足場における屋根からの落下防止設備において、前記金具差込部Ｓは、支柱１に設けられたフランジ部材の楔孔４ａからなることを特徴とする。
【００１２】
請求項６は、請求項１〜４の何れかに記載の仮設足場における屋根からの落下防止設備において、前記金具差込部Ｓは、支柱１に設けられたポケット部材２２のポケット２２ａからなることを特徴とする。
【発明の効果】
【００１３】
上記解決手段による発明の効果を、後述する実施形態の参照符号を付して説明すると、請求項１に係る発明の落下防止設備によれば、屋根Ｒの軒先高さ位置とそれより上方の所要高さ位置との間で隣り合う支柱１，１間に架け渡した安全手摺り１０の筋交い７，８が交差する交差部ｋの下方に形成される三角形状空間部ｂ及びこの交差部ｋの両側方に形成される三角形状空間部ｃ，ｄが落下防止養生枠１６により安全手摺り１０の下半部の開口部が狭められるため、屋根Ｒ上で作業する作業者Ｍは、足を滑らせるようなことがあっても、これら安全手摺り１０と落下防止養生枠１６が必ず受け止めてくれるから心配ないという安心感をもつことができるし、実質的にもこれらの安全手摺り１０と落下防止養生枠１６によって軒先Ｎからの作業者Ｍの落下を効果的に防止することができる。
【００１４】
請求項２に係る発明のように、落下防止養生枠１６の下横枠１１の両端部に設けられる差込金具１４，１５の一方の差込金具１４が、一方の支柱１の金具差込部Ｓに対し上方より係脱自在なフック１７からなり、他方の差込金具１５が、他方の支柱１の金具差込部Ｓに対し上方より挿脱自在なコ字枠片１８と、このコ字枠片１８の下部に取り付けられた抜け止め用のグラビティーロック片１９とからなる場合は、一方の差込金具１４を、一方の支柱１に対する筋交い７の下端部取付位置に設けられた金具差込部Ｓに差し込んだ後、他方の差込金具１５を他方の支柱１に対する筋交い８の下端部取付位置に設けられた金具差込部Ｓに差し込めば、この差込金具１５がグラビティーロック片１９によってロックされるから、下横枠１１の両端部を簡単容易に両支柱１，１に固定して、落下防止養生枠１６全体を両支柱１，１に対し確実に固定させることができる。
【００１５】
請求項３に係る発明のように、落下防止養生枠１６の下横枠１１の両端部に設けられる差込金具１４，１５は何れも、支柱１の金具差込部Ｓに対し上方より挿脱自在なコ字枠片１８と、このコ字枠片１８の下部に取り付けられた抜け止め用のグラビティーロック片１９とからなる場合は、落下防止養生枠１６全体を両支柱１，１に対しより一層確実に固定することができる。
【００１６】
請求項４に記載のように、金具差込部Ｓは、特別に形成することなく、安全手摺り１０の筋交い７，８の夫々下端部に設けられる固定金具２４における取付部片２７と、支柱１のフランジ部材４に跨嵌されるコ字形部材２５との内隅部に橋架連結した補強部片２８の内側に形成される三角形状の空間部をそのまま利用することができる。
【００１７】
請求項５に記載のように、金具差込部Ｓは、特別に形成することなく、支柱１に設けられたフランジ部材の楔孔４ａを、そのまま利用することができる。
【００１８】
請求項６に記載のように、金具差込部Ｓは、特別に形成することなく、支柱１に設けられたポケット部材２２のポケット２２ａを、そのまま利用することができる。
【図面の簡単な説明】
【００１９】
【図１】本発明に係る落下防止設備の施工の前段階を示し、(a) は正面図、(b) は側面図である。
【図２】同落下防止設備の施工の第１段階を示すもので、(a) は正面図、(b) は側面図である。
【図３】同落下防止設備の施工の第２段階を示すもので、(a) は正面図、(b) は側面図である。
【図４】同落下防止設備の施工を終了した状態を示すもので、(a) は正面図、(b) は側面図である。
【図５】(a) は同落下防止設備の落下防止養生枠を示す正面図、(b) は(a) の矢印Ａで示す部分の拡大図、(c) は(a) の矢印Ｂで示す部分の拡大図、(d) は(b) で示す部分の平面図、(e) は(c) で示す部分の平面図である。
【図６】(a) は支柱にフランジ部材が設けてある場合の同落下防止設備の使用状態を示す正面図、(b) は底面図である。
【図７】(a) は支柱にポケット部材が設けてある場合の同落下防止設備の使用状態を示す正面図、(b) は底面図である。
【図８】(a) は図６の(a) の矢印Ｃで示す部分の拡大図、(b) は同部分の底面図である。
【図９】(a) は図７の(a) の矢印Ｄで示す部分の拡大図、(b) は同部分の底面図である。
【図１０】落下防止養生枠の下横枠の一端側差込金具を支柱の金具差込部に差し込んで取り付けている状態を示す斜視図である。
【図１１】落下防止養生枠の下横枠の他端側差込金具を支柱の金具差込部に差し込んで取り付けている状態を示す斜視図である。
【図１２】(a) は落下防止養生枠の変形例を示す正面図、(b) は(a) の矢印Ｅで示す部分の拡大図、(c) は(a) の矢印Ｆで示す部分の拡大図、(d) は(b) の平面図、(e) は(c) の平面図である。
【図１３】(a) は落下防止養生枠の更に他の変形例を示す正面図、(b) は(a) の矢印Ｇで示す部分の拡大図、(c) は(a) の矢印Ｈで示す部分の拡大図、(d) は(b) で示す部分の平面図、(e) は(c) で示す部分の平面図である。
【図１４】(a) 及び(b) は夫々更に他の落下防止養生枠を有する落下防止設備の使用状態を示す正面図である。
【図１５】更に他の落下防止養生枠を有する落下防止養生枠の使用状態の正面図である。
【図１６】従来の落下防止設備の施工順序を示す説明図で、(a-1) は施工の前段階を示す正面図、(a-2) は側面図、(b-1) は施工の第１段階を示す正面図、(b-2) は側面図、(c-1) は施工の第２段階を示す正面図、(c-2) は側面図である
【発明を実施するための形態】
【００２０】
以下に本発明の好適な一実施形態を図面に基づいて説明すると、図１〜図４は本発明に係る楔緊結式足場における落下防止設備の施工を示したもので、図１の(a) は施工の前段階を示す正面図、(b) はその側面図、図２の(a) は第１段階を示す正面図、(b) はその側面図、図３の(a) は第２段階を示す正面図、(b) はその側面図であり、図４の(a) は施工終了状態の正面図、(b) はその側面図である。これらの図に示す支柱１は、フランジタイプの楔緊結式足場用支柱で、この支柱１にはその上下方向一定間隔おきにフランジ部材４が取り付けられていて、各フランジ部材４には、図８の(b) に示すように楔孔４ａが周方向に９０°の間隔で４つ設けられている。尚、ポケットタイプの楔緊結式足場用支柱は、図７及び図９に示しているように、支柱１の上下方向一定間隔おきに角筒状のポケット部材２２を各箇所の前後左右に４つ設けたもので、各箇所の４つの角筒状ポケット部材２２は、図９の(a) ，(b) から分かるように前後一対のポケット部材２２，２２と、それらと段違い状に取り付けられた左右一対のポケット部材２２，２２とからなり、各ポケット部材２２はその内部をポケット２２ａとしている。
【００２１】
本発明に係る楔緊結式足場の落下防止設備を施工する際は、先ず、図１の(a) 及び(b) に示すように、図４の(b) に示すような建物Ｗを立てる前に、支柱１を所要本数継ぎ足して上部が建物Ｗの屋根軒先Ｎの高さ位置（軒先ラインをＮＬで示す）より７５ｃｍ〜１００ｃｍ程度高く突出するように立設した楔緊結式足場用支柱１を所定間隔おきに並立し、各支柱１には、支柱１にその長さ方向所定間隔おきに取り付けてある楔孔付きフランジ部材４を利用して足場板受けブラケット２を複数段に取り付け、そして隣り合う支柱１，１の対向するブラケット２，２間に足場板３を架け渡し、この足場板３に作業者Ｍが乗って、手摺り用水平材５を、またその下方に中桟６を夫々隣り合う支柱１，１間に取り付けることによって、仮設足場を組み立てる。尚、図１〜図４には、上段側の足場板受けブラケット２及びこれに架け渡した上段側足場板３のみを示す。この場合、上段側足場板３から軒先ラインＮＬまでの高さＱは１８００ｃｍ〜１９００ｃｍとする。
【００２２】
こうして仮設足場を組み立てた後、本発明に係る落下防止設備の施工を開始する。即ち、図２の(a) 及び(b) に示すように、隣り合う支柱１，１間に、Ｘ状に交差する一対の筋交い７，８と両筋交い７，８の上端部間に枢支連結された水平杆９とからなる安全手摺り１０を、支柱１の楔孔付きフランジ部材４を利用して、屋根Ｒの軒先高さ位置（軒先ラインＮＬ）とそれより上方へ例えば７５ｃｍ隔たった位置との間で架け渡す。こうして架け渡された安全手摺り１０の両筋交い７，８によって形成される上下２つの三角形状空間部ａ，ｂのうちの下側の三角形状空間部ｂの下辺側沿いに配置され、その両端部に差込金具１４，１５を設けた下横枠１１と、両筋交い７，８の交差部ｋより下方位置に配置される上横枠１２と、上下両横枠１１，１２をつなぐ複数の縦枠１３とによって構成される落下防止養生枠１６を、図３の(a) 及び(b) に示すように隣り合う支柱１，１間に配置して、下横枠１１の両端差込金具１４，１５を、両支柱１，１に対する前記筋交い７，８の下端部取付位置に設けられた金具差込部Ｓ（詳細には図８の(a) 、図１０及び図１１に示す）に夫々差し込んで取り付けて、図４の(a) 及び(b) に示すように落下防止設備の施工を完了する。
【００２３】
上記のような施工された落下防止設備によれば、図４の(a) ，(b) 及び図６から分かるように、屋根Ｒの軒先高さ位置（軒先ラインＮＬ）とそれより上方の所要高さ位置との間で隣り合う支柱１，１間に架け渡した安全手摺り１０の筋交い７，８が交差する交差部ｋの下方に形成される三角形状空間部ｂ及びこの交差部ｋの両側方に形成される三角形状空間部ｃ，ｄが落下防止養生枠１６により安全手摺り１０の下半部の開口部が狭められるため、屋根Ｒ上で作業する作業者Ｍは、足を滑らせるようなことがあっても、これら安全手摺り１０及び落下防止養生枠１６が必ず受け止めてくれるから心配ないという安心感をもつことができるし、実質的にもこれらの安全手摺り１０及び落下防止養生枠１６によって軒先Ｎからの作業者Ｍの落下を効果的に防止することができる。
【００２４】
また、この落下防止設備の施工においては、作業者Ｍは、図２及び図３に示すように、隣り合う支柱１，１間に安全手摺り１０を架け渡す時も、落下防止養生枠１６を架け渡す時も上段側の足場板３上で取付作業が行えるから、それらの取付作業の安全を確保できる。
【００２５】
次に、上記落下防止設備の構成部材の具体的な構造及びその取付施工方法更に構成部材の変形態様について、図５〜図１５を参照して説明する。
【００２６】
図５の(a) は落下防止養生枠１６を示しており、この落下防止養生枠１６は、両端部に差込金具１４，１５を設けた鋼管製の下横枠１１と、この下横枠１１と同様な鋼管製ではあるが、下横枠１１よりも径大で、長さも下横枠１１より長い上横枠１２ａと、下横枠１１と同径の鋼管で形成されて、上下両横枠１１，１２ａをつなぐ複数の縦枠１３とによって一体に構成されている。この落下防止養生枠１６において、上横枠１２の鋼管径を下横枠１１の鋼管径よりも大きくしたのは、上横枠１２は、取付けの際に、後述のように交差する安全手摺り１０の一対の筋交い７，８間に挟まれた時に筋交い７，８との間でガタつかないように両筋交い７，８の間隔に対応する径の鋼管を選択したことによるものであり、また下横枠１１は、上横枠１２と同じ径大の鋼管を使用するよりも、径小の鋼管を使用する方がコストを低減でき、軽量化を図ることができるからでる。また、上記のように上横枠１２の径を取付けの際に交差する一対の筋交い７，８の間隔に対応する径とすることにより、ガタつきを防止できて、作業者の不安を軽減し、筋交い７，８との間で生ずる金属雑音の発生を防止することができる。
【００２７】
落下防止養生枠１６の下横枠１１の一端部に設けられた差込金具１４は、図５の(b) ，(d) に示すように、安全手摺り１０の一方の筋交い７の下端部側に設けた後述する金具差込部Ｓ（図１０参照）に対して上方より係脱自在な下向きＣ形状のフック１７からなる。下横枠１１の他端部に設けられた他方の差込金具１５は、図５の(c) ，(e) に示すように、他方の筋交い８の下端部側に設けた後述する金具差込部Ｓ（図１１参照）に対して上方より挿脱自在なコ字枠片１８と、このコ字枠片１８の開口端部に取り付けられた抜け止め用のグラビティーロック片１９とからなる。コ字枠片１８は、一端部側が下横枠１１の他端部に固着されたアングル部片２０と、このアングル部片２０の先端部に連結された円筒部材２１とで下向きコ字状をなすように形成されている。グラビティーロック片１９は、図５の(c) ，(e) に示すように、円筒部材２１の下端部に枢着されていて、常時は自重によりコ字枠片１８の開口端部を閉鎖するように水平姿勢に突出し、コ字枠片１８が対応する金具差込部Ｓに対し上方より挿入する際にその金具差込部Ｓの一部で持ち上げられて、図５の(c) の破線で示すように円筒部材２１の開口溝２１ａから円筒部材２１内に一時的に収納された後、コ字枠片１８が金具差込部Ｓに挿入し終わった時に自重で水平姿勢に戻ってコ字枠片１８の開口端部を閉鎖するようになっている。
【００２８】
安全手摺り１０は、図６又は図７の仮想線で示すように、Ｘ状に交差する一対の筋交い７，８と、両筋交い７，８の上端部間に枢支連結された水平杆９とからなるもので、水平杆９の両端部と筋交い７，８との枢支連結部３２，３３の先端側には、図６に示すように支柱１に設けられたフランジ部材４の楔孔４ａに掛止する、又は図７に示すように支柱１に設けられたポケット部材２２のポケット２２ａに掛止する掛止片２３が設けられ、そして各筋交い７，８の下端部には、支柱１のフランジ部材４又はポケット部材２２に対し楔緊結式に固定される固定金具２４が設けられている。尚、この安全手摺り１０は、取付前は、両筋交い７，８が水平杆９に添うように折り畳むことができるようになっている。
【００２９】
各固定金具２４は、図１０及び図１１に示すように、各筋交い７，８の下端部に取付部片２７を介して取り付けられ、支柱１のフランジ部材４（又は図９に示すようなポケット部材２２）に跨嵌可能なコ字形部材２５と、前記フランジ部材４（又はポケット部材２２）に跨嵌させた前記コ字形部材２５の上方からコ字形部材２５の上下の貫通孔２５ａ（図１０及び図１１には下側の貫通孔２５ａのみ示す）及び楔孔４ａ（又はポケット部材２２のポケット２２ａ）を上下方向に貫通して打ち込まれる楔２６とからなるもので、取付部片２７とコ字形部材２５の背面部との内隅部に板片状の補強部片２８が橋架連結されて、この補強部片２８の内側に、落下防止養生枠１６の下横枠１１の両端部に設けられた差込金具１４，１５を差し込むための平面視三角形の金具差込部Ｓを形成している。
【００３０】
上記のような構成の安全手摺り１０を隣り合う支柱１，１間に架け渡すには、図２に示すように上段側の足場板３に乗った作業者Ｍが両筋交い７，８を片方ずつ持ち上げて立てた状態で、この筋交い７，８の上端側にある掛止片２３を、図６に示すように支柱１に設けられたフランジ部材４の楔孔４ａに掛止する（ポケットタイプの楔緊結式足場用支柱１の場合には、図７及び図９に示すように支柱１に設けられたポケット部材２２のポケット２２ａに掛止する）ことにより、水平杆９を両支柱１，１に取り付けた後、各筋交い７，８の下端部にある固定金具２４を各支柱１の下方の所要のフランジ部材４（ポケットタイプの楔緊結式足場用支柱１の場合は、支柱１のポケット部材２２）に固定する。
【００３１】
この固定金具２４の取付けにあたって、フランジタイプの楔緊結式足場用支柱１で、支柱１にフランジ部材４が設けてある場合は、図８の(a) ，(b) に示すように、コ字形部材２５をフランジ部材４に跨嵌させて、コ字形部材２５の貫通孔２５ａ（図１０，図１１参照）とフランジ部材４の楔孔４ａとに亘って上下方向に楔２６を打ち込めばよいし、またポケットタイプの楔緊結式足場用支柱１で、支柱１にポケット部材２２が設けてある場合は、図９の(a) ，(b) に示すように、コ字形部材２５をポケット部材２２の４つあるポケット２２ａの１つに跨嵌させて、コ字形部材２５の貫通孔２５ａとポケット２２ａとに亘って上下方向に楔２６を打ち込めばよい。
【００３２】
また、落下防止養生枠１６は、上記のようにして安全手摺り１０を取り付けた後に、対向する支柱１，１間に架け渡す。この落下防止養生枠１６を、フランジ部材４の設けられた支柱１，１間に架け渡す場合、図６及び図８に示すように、安全手摺り１０の両筋交い７，８の下端部にある固定金具２４，２４は、両筋交い７，８が交差する時に互いに干渉しないように内外方向にずらしてフランジ部材４，４に取り付けられるため、落下防止養生枠１６は、両筋交い７，８の交差部ｋより下方で両筋交い７，８によって挟まれた状態となる。つまり、図６の(b) 及び図８の(b) に示すように、支柱１のフランジ部材４には４つの楔孔４ａが設けてあって、落下養生枠１６の両筋交い７，８の一方の筋交い７の端部にある固定金具２４は、対向する支柱１，１の軸芯を結ぶ仮想中心線（図示省略）から内外何れかの方向、例えば内方向へ離れた位置にある楔孔４ａに取り付けられて固定され、他方の筋交い８の端部にある固定金具２４は、前記仮想中心線から外方向へ離れた位置にある楔孔４ａに取り付けられて固定されることにより、図６の(b) に示すように落下養生枠１６が両筋交い７，８で挟まれた状態となる。
【００３３】
こうして落下防止養生枠１６を対向する支柱１，１間の下部側に配置した後、下横枠１１の一端部にある下向きＣ形状の差込金具１４を、一方の支柱１のフランジ部材４に固定されている固定金具２４の金具差込部Ｓ（図１０参照）に上方より差し込み、その後に下横枠１１の他端部にある差込金具１５を、他方の支柱１のフランジ部材４に固定されている固定金具２４の金具差込部Ｓ（図１１参照）に差し込む。下横枠１１の他端側の差込金具１５は、コ字枠片１８を金具差込部Ｓに挿入した後、自重で水平姿勢に戻ってコ字枠片１８の開口端部を閉鎖するグラビティーロック片１９によってロックされるから、それにより下横枠１１の両端部が両支柱１，１に対し固定され、落下防止養生枠１６全体が両支柱１，１に対し固定される。またこの場合、落下防止養生枠１６は、安全手摺り１０の交差した筋交い７，８間で挟まれた状態にあるため、より安定良く設置される。
【００３４】
また、落下防止養生枠１６を、ポケット部材２２の設けられた支柱１，１間に架け渡す場合には、図９の(a) ，(b) に示すように、下横枠１１の一端部にある差込金具１４を、一方の支柱１にある所定のポケット部材２２のポケット２２ａに差し込んだ後、下横枠１１の他端部にある差込金具１５を、他方の支柱１の所定のポケット部材２２のポケット２２ａに差し込めばよい。この場合、差込金具１４，１５を差し込むための金具差込部Ｓはポケット部材２２のポケット２２ａとなる。尚、支柱１のフランジ部材４が設けてある場合の差込金具１４，１５を差し込むための金具差込部Ｓを、固定金具２４における取付部片２７とコ字形部材２５との内隅部に橋架連結した補強部片２８の内側に形成される三角形状の空間部としたが、フランジ部材４の設けられた支柱１の場合、所要の楔孔４ａを金具差込部Ｓとして利用でき、またポケット部材２２の設けられた支柱１の場合には、上記のように金具差込部Ｓとしてポケット２２ａをそのまま利用できる。
【００３５】
またポケット部材２２の場合は、安全手摺り１０の筋交い７，８の下端固定金具２４，２４を、図９の(b) に示すように、内外方向中央側のポケット２２ａに固定することにより、落下防止養生枠１６は、同図実線図示のように筋交い７，８の内側に配置して下横枠１１の両端差込金具１４，１５を内方側のポケット２２ａに取り付けてもよいし、また同図仮想線図示のように筋交い７，８の外側に配置して下横枠１１の両端差込金具１４，１５を内方側のポケット２２ａに取り付けてもよい。図７は、ポケット部材２２の場合の落下防止養生枠１６の取付状態の全体を示している。
【００３６】
図１２の(a)は図５に示される落下防止養生枠１６の一部が変更されたものである。即ち、図５に示す落下防止養生枠１６では、上横枠１２の鋼管径を下横枠１１の鋼管径より大きくして、取付けの際に上横枠１２が交差する安全手摺り１０の筋交い７，８間に挟まれた時に筋交い７，８との間でガタつかないように、上横枠１２の鋼管径を、両筋交い７，８の間隔に対応する径の鋼管、つまり下横枠１１の鋼管径よりも大きい径の鋼管を採用したものであるが、この図１２の(a)に示す落下防止養生枠１６は、上横枠１２として、下横枠１１と同径の鋼管からなる上横枠１２ｂを使用し、その代りに、取付けの際に上横枠１２ｂが安全手摺り１０の筋交い７，８と接触可能部位に両筋交い７，８の間隔に対応する径の鋼管からなるガタ止め用短管部材２９を嵌合して溶接で定位置に固定したものである。これによれば、上横枠１２ｂが筋交い７，８間で挟まれた時の筋交い７，８とのガタつきを防止できると共に、落下防止養生枠１６の全てを径小の同径鋼管によって製作できるためにコストの低廉化を図ることができる。なお、差込金具１４，１５については、(b) 〜(e) に示すように、図５に示す落下防止養生枠１６と同じ構成である。
【００３７】
図１３の(a) は、落下防止養生枠１６の更に他の実施形態を示している。即ち、上述した実施形態の落下防止養生枠１６では、下横枠１１の両端部に設けられる差込金具１４，１５の一方の差込金具１４が、支柱１の金具差込部Ｓに対し上方より係脱自在なフック１７からなり、他方の差込金具１５が、支柱１の金具差込部Ｓに対し上方より挿脱自在なコ字枠片１８と、抜け止め用グラビティーロック片１９とからなるものであるが、この図１３の落下防止養生枠１６では、差込金具１４，１５の何れも、金具差込部Ｓに対し上方より挿脱自在なコ字枠片１８と、このコ字枠片１８の下部に取り付けられた抜け止め用グラビティーロック片１９とからなるものとしている。コ字枠片１８及びグラビティーロック片１９の構成については、図５，図１２に示すものと同じである。この図１３の落下防止養生枠１６によれば、下横枠１１の両端差込金具１４，１５が何れもコ字枠片１８とグラビティーロック片１９とからなるため、下横枠１１の両端部を両支柱１，１に対しより一層確実に固定することができる。
【００３８】
図１４の(a) ，(b) 及び図１５は、落下防止養生枠１６の更に他の実施形態を示している。図１４の(a) に示す落下防止養生枠１６は、上横枠１２の長さを下横枠１１よりも短くすると共に、上横枠１２の両端部と、両端に位置する縦枠１３，１３の夫々上端部とをアール状の連結部３１を介して一体に連結した点が、前述の図１〜図１３に示す落下防止養生枠１６と相違する。この場合、上横枠１２は下横枠１１の約８５％の長さを有する。図１４の(b) に示す落下防止養生枠１６は、上下横枠１１，１２間に縦枠１３の他に斜め枠３０を介装した点が図１４の(a) に示す落下防止養生枠１６と相違している。そして、図１５の落下防止養生枠１６は、上横枠１２の長さについては図１〜図１３に示す落下養生枠１６と同じであり、上下横枠１１，１２間に縦枠１３の他に斜め枠３０を介装した点では図１４の(b) に示す落下養生枠１６と同じある。
【００３９】
図１４の(a) ，(b) に示すような落下防止養生枠１６によると、上横枠１２の両端部と両端の縦枠１３との連結部３１がアール状に形成されるため、作業者Ｍが手指や衣服等を引っ掛けたりすることがなく、安全性を確保できる。また図１４の(a) に示すような落下防止養生枠１６では、枠全体がコンパクトで簡素な構造となり、同図(b) に示すような落下防止養生枠１６によれば、縦枠１３の他に斜め枠３０を介装したことにより、対向する支柱１，１間に架け渡された安全手摺り１０の下半部の開口をより有効に覆って、心理的にも落下防止効果を高めることができる。
【００４０】
また、本発明に係る落下防止養生枠１６では、図４の(a) に示すように上横枠１２が下横枠１１の長さと同程度であれば、隣り合う支柱１，１間において屋根軒先高さ位置ＮＬとそれより上方の所要高さ位置との間で架け渡された安全手摺り１０の下半部の開口をより有効に塞ぐことができるから最も望ましいが、そのように上横枠１２が下横枠１１の長さと同程度でなくても、図１４の(a) 及び(b) に示す実施形態の落下養生枠１６のように上横枠１２が下横枠１１の７０〜８０％程度の長さを有する場合でも、安全手摺り１０の下半部の開口を十分塞ぎ得る形態となって、外観上からも作業者Ｍに対し安心感も与える形状となるため、屋根軒先Ｎからの作業者Ｍの落下防止効果を心理的にも高めることができる。
【符号の説明】
【００４１】
Ｗ            建物
Ｒ            屋根
Ｎ            屋根軒先
１            支柱
４            フランジ部材
４ａ          フランジ部材の楔孔
７，８        安全手摺りの筋交い
９            水平杆
１０          安全手摺り
１１          下横枠
１２          上横枠
１３          縦枠
１４，１５    差込金具
１６          落下防止養生枠
１７          フック
１８          コ字枠片
１９          グラビティーロック片
２２          ポケット部材
２２ａ        ポケット部材のポケット
【図１】
0005393510.tif 000002
【図２】
0005393510.tif 000003
【図３】
0005393510.tif 000004
【図４】
0005393510.tif 000005
【図５】
0005393510.tif 000006
【図６】
0005393510.tif 000007
【図７】
0005393510.tif 000008
【図８】
0005393510.tif 000009
【図９】
0005393510.tif 000010
【図１０】
0005393510.tif 000011
【図１１】
0005393510.tif 000012
【図１２】
0005393510.tif 000013
【図１３】
0005393510.tif 000014
【図１４】
0005393510.tif 000015
【図１５】
0005393510.tif 000016
【図１６】
0005393510.tif 000017